(57)【特許請求の範囲】
【請求項１】
スリット状の取出口を備えており、キッチンペーパーが前記取出口から取出し可能に収納されるキッチンペーパーの収納箱であって、
奥行き５０〜１００ｍｍ、幅８０〜３００ｍｍ、高さ４０〜１００ｍｍであり、奥行きよりも幅の方が長い直方体状であり、
前記取出口が、幅方向両側面の少なくともどちらか一方に形成され、
下面に粘着剤層が積層され、
前記下面と前記粘着剤層との間に、前記下面に対して固着された剥離シートが介在されている、
ことを特徴とするキッチンペーパーの収納箱。
【請求項２】
前記粘着剤層が、前記下面側からウレタン粘着剤層、フィルム層、アクリル粘着剤層の順に積層されてなる三層構造である、
請求項１に記載のキッチンペーパーの収納箱。
【請求項３】
前記粘着剤層の下面が第２の剥離シートで被覆されている、請求項１又は２記載のキッチンペーパーの収納箱。
【請求項４】
請求項１〜請求項３のいずれか１項に記載のキッチンペーパーの収納箱の内部に、キッチンペーパーが前記取出口から取出し可能に収納されて成るキッチンペーパー収納製品。
【発明の詳細な説明】
【技術分野】
【０００１】
本発明は、キッチンで使用されるキッチンペーパーの収納箱、及び該収納箱内部にキッチンペーパーを収納して成るキッチンペーパー収納製品に関するものである。
【背景技術】
【０００２】
料理の水・油切りや、調理器具に付着した汚れの拭き取りなどに用いられるキッチンペーパー（キッチンタオル、クッキングペーパーと呼ばれる場合もある）を収納する収納箱としては、下記特許文献１に示されるような、ティシュペーパーの収納箱と同様なものが一般的によく知られている。しかし、このようなタイプの収納箱は、少なくとも収納箱の下面以上に広い台上に載置することしかできないため、置き場所が限定され、キッチンペーパーの使用頻度が高い場所であるにも関わらず、調理や食器の洗浄などでスペースが占有されがちな流し台周辺に設置し難いという問題があった。このような問題を解決するために、下記特許文献２のような、収納箱外面に設置されたタック紙によってキッチンの壁面に取付可能とされた収納箱や、下記特許文献３に示されるような、細長に形成することで省スペース化を可能にした収納箱が過去に提案されている。そのうち特に、下記特許文献３に示されるような細長なタイプのものは、流し台周辺のうちでもあまり使用されることが無く空きがちな流し台の縁に収納箱を設置することができるという利点を有している。
【０００３】
他方、キッチンペーパーの収納箱は、流し台周りに設置されて使用した際に、収納箱からはみ出たキッチンペーパーが水の飛沫で汚れてしまうという問題があった。このような問題を解決するために、下記特許文献４及び５のような、蓋付きの収納箱が提案されており、特に、下記特許文献４に示されるものは、外面がプラスチックから形成されており、収納箱外面にかかった水が内部に浸透しないようになっている。
【先行技術文献】
【特許文献】
【０００４】
【特許文献１】特開２００９−８３８６６号公報
【特許文献２】特開２００２−８５２８７号公報
【特許文献３】国際公開番号ＷＯ２００３／０４５７９３
【特許文献４】特開２００３−１１８７８２号公報
【特許文献５】特開平１１−３２１５８８号公報
【発明の概要】
【発明が解決しようとする課題】
【０００５】
上記特許文献２のような細長に形成され、長手方向に沿って取出口が形成された収納箱は、流し台の縁に設置することができるという利点を有しているものの、使用時に流し台と対向する面からキッチンペーパーがはみ出すため、水の飛沫がかかりやすいという問題があった。
そこで、本発明の主たる課題は、流し台の縁に設置することができ、且つ、水の飛沫がキッチンペーパーにかかり難いキッチンペーパーの収納箱及びキッチンペーパー収納製品を提供することにある。
【課題を解決するための手段】
【０００６】
上記課題を解決した本発明は次記のとおりである。
〔請求項１記載の発明〕
スリット状の取出口を備えており、キッチンペーパーが前記取出口から取出し可能に収納されるキッチンペーパーの収納箱であって、
奥行き５０〜１００ｍｍ、幅８０〜３００ｍｍ、高さ４０〜１００ｍｍであり、奥行きよりも幅の方が長い直方体状であり、
前記取出口が、幅方向両側面の少なくともどちらか一方に形成され、
下面に粘着剤層が積層され、
前記下面と前記粘着剤層との間に、前記下面に対して固着された剥離シートが介在されている、
ことを特徴とするキッチンペーパーの収納箱。
【０００７】
（作用効果）
本請求項に係る発明は、奥行きよりも幅の方が長く、且つ、奥行きが５０〜１００ｍｍの直方体状とされているため、流し台の縁の幅に本請求項に係るキッチンペーパーの収納箱の奥行きを合わせて設置することが可能となっている。そして、本請求項に係るキッチンペーパーの収納箱は、スリット状の取出口が幅方向両側面の少なくともどちらか一方に形成されているため、流し台の縁の幅に本請求項に係るキッチンペーパーの収納箱の奥行きを合わせて設置した際に、取出口が流し台と対向する面ではなく、流し台と対向する面の両側に存在する面の少なくともどちらか一方に位置し、ここからキッチンペーパーがはみ出すようになるため、流し台から飛散する水がキッチンペーパーにかかり難くなっている。
【０００８】
【０００９】
また。収納箱の下面に粘着剤層が積層されているため、キッチンペーパーの取出し時に収納箱が動いてしまわないように、収納箱を流し台の縁に固定して使用することができるようになっている。
【００１０】
【００１１】
さらに、収納箱の下面と粘着剤層との間に、下面に対して固着された剥離シートが固着されているため、収納箱内部のキッチンペーパーが消費されて無くなった際に、粘着力を損なうことなく粘着剤層を残して収納箱を取り除くことができる。そうすると、剥離シートから分離されて残った粘着剤層を再利用することができるため、次に設置される収納箱の下面に固着された剥離シートに粘着剤層を積層しなくともよくなり、粘着剤層分の資源を節約することができる。
【００１２】
〔請求項２記載の発明〕
前記粘着剤層が、前記下面側からウレタン粘着剤層、フィルム層、アクリル粘着剤層の順に積層されてなる三層構造である、
請求項１に記載のキッチンペーパーの収納箱。
【００１３】
（作用効果）
一般的な流し台の縁には段差が有ることが多く、その高さや位置は流し台のメーカによってまちまちである。これに対して、段差が有る場所に収納箱を安定して設置するためには、下面の形状がそれぞれの段差に合致するよう個別に設計しなければならない。
本請求項に係る発明は、このような課題を鑑みてなされたものであり、ウレタン粘着剤層が下面に積層されていることによって、粘着剤層が段差に合わせて変形可能となるため、流し台の縁に存在する段差に収納箱の下面側の形状を合わせることができるようになっており、段差のある流し台の縁に安定して設置することができる。
【００１４】
ところで、ウレタン粘着剤は、容易に変形できるため凸凹な面に対して良好な接着性を発現することができるものの、一般的な流し台を形成するＳＵＳ（ステンレス）に対しての接着性が良くないという欠点がある。そこで、本請求項に係る発明では、粘着剤層の最も下面側にＳＵＳに対して良好な接着性を発現するアクリル粘着剤層を積層することによって、流し台の縁への良好な接着性を確保している。また、ウレタン粘着剤層とアクリル粘着剤層とは相互に接着し難いため、本請求項に係る発明では、ウレタン粘着剤層とアクリル粘着剤層との間にフィルム層を介在させることによって、ウレタン粘着剤層とアクリル粘着剤層を確実に固定することができるようになっている。
【００１５】
〔請求項３記載の発明〕
前記粘着剤層の下面が第２の剥離シートで被覆されている、請求項１又は２記載のキッチンペーパーの収納箱。
【００１６】
（作用効果）
本請求項に係る発明のように、粘着剤層の下面が剥離シートで被覆されていることによって、非使用時に粘着剤層を保護することができる。
【００１７】
〔請求項４記載の発明〕
請求項１〜請求項３のいずれか１項に記載のキッチンペーパーの収納箱の内部に、キッチンペーパーが前記取出口から取出し可能に収納されて成るキッチンペーパー収納製品。
【発明の効果】
【００１８】
以上のように、本発明によれば、流し台の縁に設置することができ、且つ、水の飛沫がキッチンペーパーにかかり難いキッチンペーパーの収納箱及びキッチンペーパー収納製品を提供することができる。
【図面の簡単な説明】
【００１９】
【図１】本発明に係るキッチンペーパー収納製品の第１実施形態を示す斜視図である。
【図２】前記第１実施形態に係るキッチンペーパー収納製品を取出口側から見た平面図である。
【図３】図２の符号Ａで示される部分の拡大図である。
【図４】前記第１実施形態に係るキッチンペーパー収納製品の使用形態の例を示す図である。
【図５】図４の符号Ｂで示される部分の拡大図である。
【発明を実施するための形態】
【００２０】
次に、本発明に係るキッチンペーパーの収納箱の実施形態を示す。なお、図中における矢印ＣＤは前後方向を、矢印ＨＤは左右方向を、矢印ＵＤは上方向を、矢印ＤＤは下方向をそれぞれ示しているが、これらの方向を示す語句は、以下の説明上便宜的に用いたものに過ぎない。
【００２１】
図１〜図４に示すのは、本発明に係るキッチンペーパーの収納箱の第１実施形態である。本実施形態に係る収納箱Ｘ１は、直方体状の箱部１０と、箱部１０の底面１１に積層された粘着剤層２０とを備えており、箱部１０の内部にキッチンペーパーが収納されてキッチンペーパー収納製品を構成するようになっている。
【００２２】
箱部１０は、一枚のシートを打ち抜いたものを組み立てることによって形成されるものであり、その展開形状は、上記特許文献１に示されるような既知のティシュペーパー収納箱と同様であり、後述する取出し開口部１５が、幅方向側面１２の一方に設けられている点で異なっている。箱部１０を構成するシートは、紙シートや薄プラスチックシートとすることができるが、その中でも特に、収納箱Ｘ１を使い捨てることを前提で製造する場合、低コストで製造できるため紙シートから形成することが好ましい。
【００２３】
また、箱部１０を紙シートから形成する場合、本実施形態に係る収納箱Ｘ１は水場で使用されることを想定されているものであるため、防滴機能を奏する紙シートから形成することが好ましい。なお、防滴機能を奏する紙シートとしては、例えば、紙の表面にポリエチレン等の熱可塑性樹脂をラミネート加工したものや、紙の表面にワックスやステアリン酸、シリコン樹脂などの撥水剤を塗布したものなどが挙げられる。
ここで、箱部１０を構成する紙シートの具体的な防滴性能としては、ＪＩＳ規格における電気機械器具の外郭による保護等級に定めるところのＩＰＸ２と同程度であれば十分である。なお、ＩＰＸ２は滴水試験装置にて１５°傾けて設置した状態で１０分間（各方向２．５分間）散水し、鉛直から１５度の範囲で落下する水滴によって有害な影響がないものとされる。
【００２４】
箱部１０の幅方向側面１２の一方には、前後方向に細長な取出し開口部１５が開口しており、この取出し開口部１５が開口している幅方向側面１２の内面側には、取出し開口部１５全体を覆う樹脂製フィルム１６が貼着されている。この樹脂製フィルム１６の好適な素材は、ポリエチレンフィルムであるが、ポリプロピレン、ポリエステルなども例示できる。なお、樹脂製フィルムに変えて紙を用いてもよい。また、樹脂製フィルム１６の厚みは、１０〜２００μｍが適する。１０μｍ未満では、強度的に不足し、キッチンペーパーの取り出し時において裂けあるいは破断の確率が高くなる。逆に、２００μｍを超えると、強度の問題はないものの、取り出し難くなり、またコスト高となる。
【００２５】
他方、この樹脂製フィルム１６には、前後方向に沿ってスリット状の取出口１６ａが形成されており、この取出口１６ａは取出し開口部１５により囲まれるに位置されている。従って、収納箱Ｘ１の箱部１０内に納められたキッチンペーパーが、この取出口１６ａを介して取り出し可能となっている。
【００２６】
樹脂製フィルム１６の箱部１０への接着部分は、従来製品に従って、例えば、取出し開口部１５に沿って線状にベタ接着すると防滴性の点で好ましい。箱部１０と樹脂製フィルム１６の接着方法は、特に限定されない。例えば、接着剤による接着が好適であるが、超音波融着等の融着処理も採用しうる。これらの双方を用いてもよい。接着剤を使用するのであれば、この種の収納箱に用いられる既知の接着剤が利用できる。例えば、ホットメルト接着剤が使用できる。リサイクルの点で水性接着剤が好適である。他方、箱部１０と樹脂製フィルム１６との接着力（剥離強度）は特に限定されない。従来製品における箱部１０と樹脂製フィルム１６との接着力と同程度でよい。
なお、取出口１６ａの長さは、取出し開口部１５の前後方向全長より短くすることが望ましいが、取出し開口部１５の前後方向全長と同じ長さにすることもでき、さらに、樹脂製フィルム１６の前後方向長さより短い条件の下で、取出し開口部１５の長手方向全長より長くすることもできる。
【００２７】
収納箱Ｘ１は、奥行きＤ（前後方向長さ）が５０〜１００ｍｍ、幅Ｗ（左右方向長さ）が８０〜３００ｍｍ、高さＨ（上下方向長さ）が４０〜１００ｍｍとなっており、奥行きＤの方が幅Ｗよりも長くなっている。奥行きＤ及び幅Ｗが上記数値範囲であることによって、一般的なサイズの流し台の縁に、収納箱Ｘ１を設置することができる。
【００２８】
図３に示すように、粘着剤層２０は箱部１０の下面１１側からウレタン粘着剤層２１、フィルム層２２、アクリル粘着剤層２３の順に積層されてなる三層構造とされており、粘着剤層２０と箱部１０の下面１１との間には、第１剥離シート３１が介在されている。また、粘着剤層２０の最下部にあるアクリル粘着剤層２３の下面側は、第２の剥離シートである第２剥離シート３２で被覆されている。
【００２９】
ウレタン粘着剤層２１は、ウレタン系粘着剤から構成されており、厚みが０．５〜３．０ｃｍとされている。ウレタン粘着剤層２１は、ＪＩＳ  Ｚ  ０２３７の試験方法に準じて測定される粘着力（対ＳＵＳ）が１２８０ｇｆ／２５ｍｍ以上であり、傾斜１５度に対するタック性が１時間以上滑らないものであり、保持力が２４時間温度４０℃の条件の中、２ｍｍ以内である。
【００３０】
フィルム層２２は、厚みが１５〜３０ｍｍの均一なシートから形成されており、その好適な素材は、延伸ポリプロピレン（ＯＰＰ）フィルムや、ポリエチレンテレフタレート（ＰＥＴ）フィルムであるが、鎖状低密度ポリエチレン（ＬＬＤＰＥ）フィルム、高密度ポリエチレン（ＨＤＰＥ）フィルム、無延伸ポリプロピレン（ＣＰＰ）フィルム、ナイロンなどからなる樹脂製フィルム、なども使用することができる。このようなフィルム層２２が、ウレタン粘着剤層２１とアクリル粘着剤層２３との間に介在されていることによって、相互の接着性が悪いウレタン粘着剤層２１とアクリル粘着剤層２３と好適に接着させることが可能となっている。
【００３１】
アクリル粘着剤層２３は、アクリル系粘着剤から構成されており、厚みが０．５〜３．０ｃｍとされている。アクリル粘着剤層２３は、ＪＩＳ  Ｚ  ０２３７の試験方法に準じて測定される粘着力が１５００ｇｆ／２５ｍｍ以上であり、傾斜１５度に対するタック性が１時間以上滑らないものであり、保持力が２４時間温度４０℃の条件の中、１ｍｍ以内である。
【００３２】
第１剥離シート３１は、第１剥離シート３１と箱部１０とは固着されており、この一方、ウレタン粘着剤層２１側の面には剥離処理が施されている。第１剥離シート３１の素材としては特に限定されないが、ポリエチレン、ポリプロピレン、エチレン−酢酸ビニル共重合体、エチレン−ビニルアルコール共重合体、ポリエチレンテレフタレート等の合成樹脂フィルム、ゴムシート、紙、布、不織布、ネット、発泡シート、金属箔、又はこれらのラミネート体等からなる適当な薄葉体を用いることができる。
また、第１剥離シート３１のウレタン粘着剤層２１側の面には、ウレタン粘着剤層２１からの剥離性を高めるため、必要に応じてシリコーン処理、長鎖アルキル処理、フッ素処理等の剥離処理を施されている。第１剥離シート３１の剥離性は、剥離処理に用いる薬剤の種類及び／又はその塗工量等を調節することにより制御することができる。
他方、第１剥離シート３１と箱部１０は、粘着テープや糊などによって固着されており、その中でも特に、箱部１０との剥れを防止する理由から粘着テープで固着されていることが好ましい。
【００３３】
第２剥離シート３２は、第１剥離シート３１と同じ素材を用いて形成することができ、少なくとも、アクリル粘着剤層２３側の面に第１剥離シート３１と同じ剥離処理が施されている。
【００３４】
以上のように構成された収納箱Ｘ１の箱部１０内部に、キッチンペーパー束が収納されてキッチンペーパー収納製品Ｙ１となる。箱部１０内部に収納されるキッチンペーパーは、所謂ポップアップ形式に折り畳み重ねてキッチンペーパー束とされるのがよい。これにより取出口１６ａからキッチンペーパーを一枚一枚順次取り出して使用することができるようになる。
【００３５】
ポップアップ形式のキッチンペーパー束の製造は、既知のインターホルダーによりキッチンペーパーを折り畳んだ後に、所定の大きさに切断する方法を採用できる。
なお、本発明においては、キッチンペーパー束の大きさは特に限定されるものではなく、収容する箱部１０の大きさに併せて適宜変更することができる。
【００３６】
箱部１０内部に収納されたキッチンペーパーを取出口１６ａから引き出す際の抵抗力については、収納箱の重量よりも軽いことが好ましく、収納箱の総重量に対して、キッチンペーパー引出し抵抗は、６５〜８５％が望ましい。８５％超過であると、引出す時に箱部１０を支えている粘着剤層２０にズレが生じやすくなってしまう。
なお、キッチンペーパーの取出し時の抵抗力の測定方法については、収納箱取出し口中心部から反対面に向け平行線を延ばした時に交わる交点に穴を開け、プッシュブルゲージにて取出し口からキッチンペーパーを引出した時にかかる抵抗（ｇｆ）を測定する。
【００３７】
以上のように構成されたキッチンペーパー収納製品Ｙ１は、図４及び図５に示すように、第２剥離シート３２が粘着剤層２０から剥がされた状態で、取出口１６ａから飛び出すキッチンペーパーＰが水場に対向しないよう、キッチンペーパー収納製品Ｙ１の奥行きと流し台の縁Ｖの幅とが合うようにして流し台の縁Ｖに対して設置される。また、キッチンペーパー収納製品Ｙ１の粘着剤層２０が、流し台の縁Ｖに沿って存在する段差を跨ぐようにして設置される。このとき、図５に示すように、粘着剤層２０のウレタン粘着剤層２１が流し台の段差の形状に合わせて変形するため、キッチンペーパー収納製品Ｙ１が流し台の縁Ｖに対して安定して設置される。
【００３８】
次に、本実施形態に係るキッチンペーパーの収納箱Ｘ１の作用効果を説明する。
本実施形態に係るキッチンペーパーの収納箱Ｘ１は、奥行きＤよりも幅Ｗの方が長く、且つ、奥行きＤが５０〜１００ｍｍの直方体状とされているため、流し台の縁Ｖの幅に収納箱Ｘ１の奥行きを合わせて設置することが可能となっている。そして、収納箱Ｘ１は、スリット状の取出口１６ａが幅方向側面１２に形成されているため、流し台の縁Ｖの幅にキッチンペーパーの収納箱Ｘ１の奥行きを合わせて設置した際に、取出口１６ａが流し台と対向する面ではない面からキッチンペーパーＰがはみ出すようになるため、流し台から飛散する水がキッチンペーパーＰにかかり難くなっている。
【００３９】
本実施形態に係るキッチンペーパーの収納箱Ｘ１は、箱部１０の下面１１に粘着剤層２０が積層されているため、キッチンペーパーＰの取出し時に収納箱Ｘ１が動いてしまわないように、収納箱Ｘ１を流し台の縁Ｖに固定して使用することができるようになっている。
【００４０】
また、本実施形態に係るキッチンペーパーの収納箱Ｘ１では、箱部１０の下面１１と粘着剤層２０との間に、下面１１に対して固着された第１剥離シート３１が固着されているため、キッチンペーパーＰが消費されて無くなった際に、粘着力を損なうことなく粘着剤層２０を残して箱部１０を取り除くことができる。そうすると、第１剥離シート３１から分離されて残った粘着剤層２０を再利用することができるため、次に設置される箱部１０の下面に固着された第１剥離シート３１に粘着剤層２０を積層しなくともよくなり、粘着剤層２０分の資源を節約することができる。
【００４１】
他方、本実施形態に係るキッチンペーパーの収納箱Ｘ１は、ウレタン粘着剤層２１が下面１１に積層されていることによって、粘着剤層２０が段差に合わせて変形可能となるため、流し台の縁Ｖに存在する段差に収納箱Ｘ１の下面側の形状を合わせることができるようになっており、段差のある流し台の縁Ｖに安定して設置することができる。
【００４２】
また、本実施形態に係るキッチンペーパーの収納箱Ｘ１は、粘着剤層２０の最も下面側にＳＵＳに対して良好な接着性を発現するアクリル粘着剤層２３を積層されているため、ＳＵＳ製の流し台の縁Ｖへの良好な接着性を確保できる。そして、これとともに、ウレタン粘着剤層２１とアクリル粘着剤層２３との間にフィルム層２２を介在させることによって、ウレタン粘着剤層２１とアクリル粘着剤層２３を確実に固定することができるようになっている。
【００４３】
〔その他の形態〕
粘着剤層２０がない形態も提案される。このような形態の収納箱は、これを固定設置可能な凹みなどがある流し台の縁であれば、好適に固定設置することができる。
粘着剤層２０がアクリル粘着剤層２３のみから構成されている形態も提案される。このような形態の収納箱は、段差のない流し台の縁に固定設置することが可能である。
【産業上の利用可能性】
【００４４】
本発明は、キッチンペーパーの収納箱及びキッチンペーパー収納製品として適用できるものである。
【符号の説明】
【００４５】
１０・・・箱部
１１・・・下面（箱部の下面）
１２・・・幅方向側面
１６ａ・・・取出口
２０・・・粘着剤層
２１・・・ウレタン粘着剤層
２２・・・フィルム層
２３・・・アクリル粘着剤層
３１・・・第１剥離シート
３２・・・第２剥離シート（第２の剥離シート）
Ｐ・・・キッチンペーパー
【図１】
0005410225.tif 000002
【図２】
0005410225.tif 000003
【図３】
0005410225.tif 000004
【図４】
0005410225.tif 000005
【図５】
0005410225.tif 000006